(57)【要約】【課題】安価な構成で、フォークリフトによる運搬作業性を損なうことなく、安全にベルトもしくはロープによる吊り上げ搬入が可能な空気調和機の室外ユニットを提供すること。【解決手段】本発明の空気調和機の室外ユニットは、天板２と、下部にフォークリフトのフォークリフト爪８を挿入する挿入口７ａを持つ一対の脚７とを少なくとも有する空気調和機の室外ユニットであって、天板の端部であって、フォークリフト爪を挿入する方向側に突出する突出部を設けた。【選択図】図１
2011257029.tif 000002
【特許請求の範囲】
【請求項１】
天板と、下部にフォークリフトのフォークリフト爪を挿入する挿入口を持つ一対の脚とを少なくとも有する空気調和機の室外ユニットであって、前記天板の端部であって、前記フォークリフト爪を挿入する方向側に突出する突出部を設けたことを特徴とする空気調和機の室外ユニット。
【請求項２】
前記突出部を設けた側の前記天板の側面を、凹凸形状としたことを特徴とする請求項１に記載の空気調和機の室外ユニット。
【発明の詳細な説明】
【技術分野】
【０００１】
本発明は空気調和機の室外ユニットに関するもので、より詳細には運搬中の空気調和機の破損を防止する構造に関するものである。
【背景技術】
【０００２】
近年、大能力タイプのルームエアコンの室外ユニットやパッケージエアコンの室外ユニットでは、大型化に伴う製品重量の増加により、空気調和機本体の運搬性を向上させるためにフォークリフトによる運搬が可能な開口部が設けられ、ビルの屋上等高層階への搬入の際は、その開口部にベルトやロープを通して吊り上げ搬入が可能な構成となっている（例えば、特許文献１参照）。
【０００３】
以下に、従来の空気調和機の室外ユニットの構成を図４を用いて説明する。図４において、空気調和機の室外ユニット１は、天板２、前板３、側板４、底板６で形成される筐体５を有し、内部にファン、電源板、熱交換器、圧縮機等が（いずれも図示せず）が配設されている。
【０００４】
また、底板６の下面には、前後に室外ユニット１を支える一対の脚７が設けられ、この脚７は、室外ユニット１の奥行き方向に運搬のためのフォークリフト爪８を挿入する挿入口７ａが形成されている。
【０００５】
以上のように構成された空気調和機の室外ユニットにおいて、フォークリフトにより室外ユニット１を運搬する際は、フォークリフト爪８を脚７に形成した挿入口７ａに挿入し室外ユニット１を持ち上げる。
【０００６】
そして次にビルの屋上等高層階への搬入の際は、挿入口７ａにベルトもしくはロープ９を通し室外ユニット１を吊り上げる。
【先行技術文献】
【特許文献】
【０００７】
【特許文献１】特開平７-１４５９６２号公報
【発明の概要】
【発明が解決しようとする課題】
【０００８】
しかしながら、前記従来の空気調和機の室外ユニットの構成では、室外ユニット１の重心位置が中央部にある場合は安定して吊り上げることができるものの、左右どちらかにずれていた場合には、吊り上げ時に室外ユニット１が左右に傾いてしまい、最悪の場合室外ユニット１の天板２からベルトもしくはロープ９が外れてしまう恐れがあり、非常に不安定で危険な運搬作業となる。
【０００９】
上記課題に対して本発明は、上記従来の課題を解決するもので、安価な構成で、フォークリフトによる運搬作業性を損なうことなく、安全にベルトもしくはロープによる吊り上げ搬入が可能な空気調和機の室外ユニットを提供することを目的とするものである。
【課題を解決するための手段】
【００１０】
前記従来の課題を解決するために、本発明の空気調和機の室外ユニットは、天板と、下部にフォークリフトのフォークリフト爪を挿入する挿入口を持つ一対の脚とを少なくとも有する空気調和機の室外ユニットであって、天板の端部であって、フォークリフト爪を挿
入する方向側に突出する突出部を設けたことにより、ベルトもしくはロープにより室外ユニットを吊り上げて搬入する際は、室外ユニットの重心位置の左右のずれによって室外ユニット本体が左右に傾いた場合でも、天板に形成した突出部によりベルトもしくはロープのずれが止まるため室外ユニット本体から外れることがなく、安全な搬入が可能となる。
【発明の効果】
【００１１】
本発明は、安価な構成で、フォークリフトによる運搬作業性を損なうことなく、安全にベルトもしくはロープによる吊り上げ搬入が可能な空気調和機の室外ユニットを提供することができる。
【図面の簡単な説明】
【００１２】
【図１】本発明の実施の形態１における空気調和機の室外ユニットの斜視図
【図２】同実施の形態１における空気調和機の室外ユニットの部分斜視図
【図３】本発明の実施の形態２における空気調和機の室外ユニットの部分斜視図
【図４】従来の空気調和機の室外ユニットの斜視図
【発明を実施するための形態】
【００１３】
第１の発明の空気調和機の室外ユニットは、天板と、下部にフォークリフトのフォークリフト爪を挿入する挿入口を持つ一対の脚とを少なくとも有する空気調和機の室外ユニットであって、天板の端部であって、フォークリフト爪を挿入する方向側に突出する突出部を設けたことにより、ベルトもしくはロープにより室外ユニットを吊り上げて搬入する際は、室外ユニットの重心位置の左右のずれによって室外ユニット本体が左右に傾いた場合でも、天板に形成した突出部によりベルトもしくはロープのずれが止まるため室外ユニット本体から外れることがなく、安全な搬入が可能となる。
【００１４】
第２の発明の空気調和機の室外ユニットは、特に第１の発明において、突出部を設けた側の天板の側面を、凹凸形状としたことにより、ベルトもしくはロープが天板の前後にあるフランジ部の凹凸に引っ掛かることによりベルトもしくはロープがずれることはない。
【００１５】
以下、本発明の実施の形態について、図面を参照しながら説明する。なお、この実施の形態によって本発明が限定されるものではない。
【００１６】
（実施の形態１）
本発明の実施の形態１における空気調和機の室外ユニットのシャーシ構成は、従来例と同様であるので説明は省略する。また、従来例の形態と同一部分については同一符号を付してその説明を省略する。
【００１７】
図１は、本発明の実施の形態１における空気調和機の室外ユニットの斜視図で、図２は同室外ユニットの部分斜視図である。
【００１８】
図１、図２において、底板６の下面前後に設けた室外ユニット１を支える一対の脚７は、室外ユニット１の奥行き方向に、運搬のためのフォークリフト爪８を挿入する左右一対の挿入口７ａが形成され、天板２の前後にあるフランジ２ａの左右両端部は、各々前方へ向かって突出する突出部２ｂが形成されている。
【００１９】
以上のように構成された空気調和機の室外ユニットにおいて、フォークリフトにより運搬する際は、フォークリフト爪８を挿入口７ａに挿入する。挿入されたフォークリフト爪８は、挿入口７ａの周縁上辺７ｂに係り室外ユニット１を持ち上げて運搬が可能となる。
【００２０】
次に、ビルの屋上等高層階への搬入の際は、挿入口７ａにベルトもしくはロープ９を通
し室外ユニット１を持ち上げる。この時、室外ユニット１の重心の位置が室外ユニット１の中心から左右方向にずれていた場合、室外ユニット１は左右方向に傾くことになるが、ベルトもしくはロープ９は天板２の前後にあるフランジ２ａ左右両端部に形成した突出部２ｂに当接することにより天板２から外れることがなく、吊り上げ作業が容易に且つ安全に行うことが可能となる。
【００２１】
以上のように、本実施の形態によれば、安価な構成で容易に且つ安全な運搬が可能となるものである。
【００２２】
（実施の形態２）
図３は、本発明の第２の実施の形態における空気調和機の室外ユニットの部分斜視図である。なお、上記実施の形態と同一部分については同一符号を付してその説明を省略する。
【００２３】
本実施の形態では、天板２の前後にあるフランジ２ａを凹凸状になるように形成している。これにより室外ユニット１が左右方向に傾くような力が働いた場合でも、ベルトもしくはロープ９は天板２のフランジ２ａに形成した凹凸により引っかかり、もしくはその一部が凹凸に食い込むことで左右にずれにくくなり、より安全な運搬が可能となるものである。
【産業上の利用可能性】
【００２４】
以上のように、本発明に係る空気調和機の室外ユニットは、安価な構成で、安全かつ確実に、しかも簡単にベルトもしくはロープによる吊り上げ運搬ができるので、作業効率が非常に良く製品の品質も向上する。そのため、空気調和機の室外ユニットだけに限らず、重量物全般に適用できる。
【符号の説明】
【００２５】
２  天板
２ａ  フランジ
２ｂ  突出部
７  脚
８  フォークリフト爪
【図１】
2011257029.tif 000003
【図２】
2011257029.tif 000004
【図３】
2011257029.tif 000005
【図４】
2011257029.tif 000006